(57)【要約】【課題】輸送時及び陳列時における破損を抑え、且つ陳列時の作業性を向上させて、且つ陳列時の外観上の見映えを良くすることができること。【解決手段】包装箱１は本体部２０と第１のカバー１０と第２のカバー１７とを備える。本体部２０は角筒状に形成されて内部に物品を収納する。第１及び第２のカバー１０，１７は本体部２０上端面を覆う閉位置と開放する開位置との間で回動自在である。第２のカバー１７の先端部には係止溝１９が貫設され、第１の辺縁部２０ａ近傍には係止舌片１５が突設される。第１のカバー１０が閉位置にあり且つ第２のカバー１７が第１のカバー１０を覆うように閉位置にあるとき、係止舌片１５は係止溝１９へ抜き差し自在に挿入される。第１のカバー１０は吊り下げ部２１と挿通孔２２とを備える。挿通孔２２は第１のカバー１０が開位置にあり且つ第２のカバー１７が閉位置にあるとき係止溝１９と対向する位置に貫設される。【選択図】図１
2010159082.tif 000002
【特許請求の範囲】
【請求項１】
物品を包装する包装箱であって、角筒状に形成されて内部に物品を収納する本体部と、
前記本体部の一端面周縁の互いに対向する第１及び第２の辺縁部から突出してなり、各々
前記一端面を覆う閉位置と前記一端面を開放する開位置との間で回動自在な第１及び第２
のカバーとを備え、
前記第２のカバーの突出方向の先端部には係止溝が貫設され、前記第１の辺縁部近傍に
は前記第１のカバーが閉位置にあり且つ前記第２のカバーが前記第１のカバーを覆うよう
に閉位置にあるとき前記係止溝へ抜き差し自在に挿入される係止舌片が突設され、
前記第１のカバーは、貫通して形成される吊り下げ部と、前記第１のカバーが開位置に
あり且つ前記第２のカバーが閉位置にあるとき前記係止溝と対向する位置に貫設される挿
通孔とを備えていることを特徴とする包装箱。
【請求項２】
前記第１のカバーの前記第１の辺縁部近傍には、前記第１のカバーが開位置にあり且つ
前記第２のカバーが閉位置にあるとき前記第２のカバーの前記先端部の一部が嵌合する溝
部が形成されていることを特徴とする請求項１記載の包装箱。
【請求項３】
前記第２のカバーの前記回動の軸心は、前記第２の辺縁部から前記第１のカバーの厚さ
幅と略等しい寸法分だけ前記第２のカバーの突出方向に離れた位置にあることを特徴とす
る請求項１または２記載の包装箱。
【請求項４】
前記本体部の前記一端面は開口していることを特徴とする請求項１〜３の何れか１項に
記載の包装箱。
【請求項５】
前記第２のカバーの前記先端部には、前記第１のカバーが閉位置にあり且つ前記第２の
カバーが前記第１のカバーを覆うように閉位置にあるとき前記第１の辺縁部に貫設される
スリット部へ抜き差し自在に挿入され、前記第１のカバーが開位置にあり且つ前記第２の
カバーが閉位置にあるとき前記一端面の前記開口へ挿入されるフラップ部が突設されてい
ることを特徴とする請求項４記載の包装箱。
【請求項６】
前記本体部の前記開口内には、前記係止舌片が前記係止溝へ挿入されたり、前記フラッ
プ部が前記スリット部又は前記一端面の前記開口へ挿入されたりするとき、前記係止舌片
及び前記フラップ部と接触しない程度に前記本体部内に収納される物品の移動を規制する
規制部材が配設されていることを特徴とする請求項５記載の包装箱。
【発明の詳細な説明】
【技術分野】
【０００１】
本発明は、物品を包装する包装箱に関するものである。
【背景技術】
【０００２】
従来より、物品を包装する種々の包装箱が提供されている（例えば、特許文献１及び２
参照）。この種の包装箱は、ダンボールや厚紙などを切り抜いて折り曲げたり接合したり
することによって角筒状に形成された本体部を備えており、この本体部の内部に物品が収
納される。
【０００３】
また、包装箱には貫通して形成される吊り下げ部が配設されたものも種々提供されてい
る。この様な包装箱は、例えば工場や卸売店から物品を包装して販売店へ輸送された後、
物品を包装した状態のまま店頭に設置されている陳列台の吊り金具等に吊り下げ部を挿通
させることで、容易に陳列することができる。そして、吊り下げ部を備えた包装箱の例と
して、図７〜図９に示すような包装箱５０，６０，７０がある。
【０００４】
包装箱５０は、図７に示すように、物品（図示せず）を内部に収納する本体部５１と、
本体部５１の上端面５２周縁の辺縁部５３より突出するカバー５４と、カバー５４の略中
心部に貫設されている吊り下げ部５５とを備えている。カバー５４は、上端面５２を覆う
閉位置と上端面５２を開放する開位置との間で回動自在である。但し、包装箱５０が例え
ば工場から販売店へ輸送される際、図７（ａ）に示すように、カバー５４と本体部５１の
前壁部５１ａ上端部とがテープ５６によって止められている。即ち、カバー５４は、閉位
置で固定され前記回動が規制されている。そして、包装箱５０を販売店の店頭へ陳列させ
る際には、図７（ｂ）に示すように、テープ５６をカッター等の工具で切り裂けばよい。
これにより前記規制が解除されてカバー５４を開位置へ回動させることができる。そして
、吊り下げ部５５を陳列台や店頭の壁面に突設されている略棒状の吊り金具（図示せず）
に挿通させれば包装箱５０を吊り下げることができる。
【０００５】
包装箱６０は、図８に示すように、物品（図示せず）を内部に収納する本体部６１と、
本体部６１の後壁部６１ａ上端部の一部からなる吊り下げ片６２と、吊り下げ片６２の略
中心部に貫設されている吊り下げ部６３とを備えている。尚、吊り下げ片６２の周囲には
、貫通する複数の切り込み線６４がコ字状に断続的に並設されており、隣り合う切り込み
線６４，６４の間をカッター等の工具で切除することで、吊り下げ片６２は辺縁部６５を
軸心に回動自在となる。包装箱６０が輸送される際、図８（ａ）に示すように、吊り下げ
片６２は後壁部６１ａ上端部と一体のままである。そして、包装箱６０を陳列させる際に
は、図８（ｂ）に示すように、隣り合う切り込み線６４，６４の間をカッター等の工具で
切除して吊り下げ片６２を後壁部６１ａから引き出せば、本体部６１の上端面６６側へ回
動させることができる。そして、吊り下げ部６３を吊り金具（図示せず）に挿通させれば
包装箱６０を吊り下げることができる。
【０００６】
包装箱７０は、図９に示すように、物品（図示せず）を内部に収納する本体部７１と、
本体部７１の上端面７２周縁の辺縁部７３より突出するカバー７４と、カバー７４の略中
心部に貫設されている吊り下げ部７５とを備えている。カバー７４は、上端面７２を覆う
閉位置と上端面７２を開放する開位置との間で回動自在である。但し、包装箱７０が輸送
される際には、図９（ａ）に示すように、カバー７４と上端面７２とが糊付けによって固
定されている。即ち、カバー７４は、閉位置で固定され前記回動が規制されている。そし
て、包装箱７０を陳列させる際には、手でカバー７４を上端面７２から引き剥がせば前記
規制が解除されてカバー７４を開位置へ回動させることができる。そして、吊り下げ部７
５を吊り金具（図示せず）に挿通させれば包装箱７０を吊り下げることができる。
【先行技術文献】
【特許文献】
【０００７】
【特許文献１】特開２００４−２９９６９９号公報
【特許文献２】特開２０００−１０３４２６号公報
【発明の概要】
【発明が解決しようとする課題】
【０００８】
しかしながら、従来の包装箱５０は、テープ５６を切り裂くために工具を必要としたり
テープ５６が吊り下げ部５５を塞ぐように貼付けされていることがあり作業性が悪いとい
う問題や、店頭への陳列の際に切り裂いたテープ５６が本体部５１及びカバー５４に残る
ため美観を損ねる問題があった。また、従来の包装箱６０は、隣り合う切り込み線６４，
６４の間を切除するために工具を必要とし作業性が悪いという問題や、吊り下げ片６２を
引き抜くことで形成される抜き穴６７（図８（ｂ）参照）を通じて埃等が本体部６１内に
侵入する問題や、吊り下げ時に自重が吊り下げ片６２から本体部６１の上壁部６１ｂを介
して下方へ掛かるので上壁部６１ｂが破損し易いという問題があった。そして、包装箱７
０は、上端面７２に固定されているカバー７４が輸送中に他の部材と接触して破損し易い
という問題や、店頭への陳列の際にカバー７４を引き剥がすことでカバー７４や上端面７
２の一部が破けたり、カバー７４や上端面７２に糊跡７６（図９（ｂ）参照）が残るため
美観を損ねるという問題があった。
【０００９】
本発明は上記事由に鑑みて為されたものであり、その目的は、輸送時及び陳列時におけ
る破損を抑え、且つ陳列時の作業性を向上させて、且つ陳列時の外観上の見映えを良くす
ることができる包装箱を提供することにある。
【課題を解決するための手段】
【００１０】
請求項１の発明は、上記目的を達成するために、物品を包装する包装箱であって、角筒
状に形成されて内部に物品を収納する本体部と、前記本体部の一端面周縁の互いに対向す
る第１及び第２の辺縁部から突出してなり、各々前記一端面を覆う閉位置と前記一端面を
開放する開位置との間で回動自在な第１及び第２のカバーとを備え、前記第２のカバーの
突出方向の先端部には係止溝が貫設され、前記第１の辺縁部近傍には前記第１のカバーが
閉位置にあり且つ前記第２のカバーが前記第１のカバーを覆うように閉位置にあるとき前
記係止溝へ抜き差し自在に挿入される係止舌片が突設され、前記第１のカバーは、貫通し
て形成される吊り下げ部と、前記第１のカバーが開位置にあり且つ前記第２のカバーが閉
位置にあるとき前記係止溝と対向する位置に貫設される挿通孔とを備えていることを特徴
とする。
【００１１】
この発明によれば、輸送時には前記第１のカバーを閉位置へ回動させて、前記第１のカ
バーを覆うように前記第２のカバーを閉位置へ回動させて、前記係止舌片を前記係止溝へ
挿入させることで、前記第１及び第２のカバーを閉位置で固定することができる。そして
、陳列時には前記係止舌片を前記係止溝から抜き外し、一度前記第１及び第２のカバーを
開位置へ回動させてから、前記第１のカバーを開位置に残したまま前記第２のカバーのみ
を閉位置へ回動させて前記挿通孔を通じて前記係止舌片を前記係止溝へ挿入させることで
、前記第２のカバーのみを閉位置で固定することができる。従って、輸送時には全体が直
方体となって他の部材と接触するような突出箇所が少なく、陳列時には自重が第１のカバ
ーからそのまま鉛直下方向へ掛かるので、輸送時及び陳列時における破損を抑えることが
できる。また、陳列時にテープを切り裂いたり本体部の一部を切除したりするカッター等
の工具を必要とせず、前記係止舌片の前記係止溝への抜き差しを手で行うことで前記第１
及び第２のカバーの固定、及び固定解除を行うことができるので作業性を向上させること
ができる。そして、テープや糊跡が残ることがないので陳列時の外観上の見映えを良くす
ることができる。
【００１２】
請求項２の発明は、請求項１の発明において、前記第１のカバーの前記第１の辺縁部近
傍には、前記第１のカバーが開位置にあり且つ前記第２のカバーが閉位置にあるとき前記
第２のカバーの前記先端部の一部が嵌合する溝部が形成されていることを特徴とする。
【００１３】
この発明によれば、前記第２のカバーの前記先端部の一部を前記溝部へ嵌合させること
で前記第２のカバーを閉位置で保持させることができるので、前記係止舌片の前記係止溝
への挿入が容易となり、陳列時の作業性をより向上させることができる。
【００１４】
請求項３の発明は、請求項１または２の発明において、前記第２のカバーの前記回動の
軸心は、前記第２の辺縁部から前記第１のカバーの厚さ幅と略等しい寸法分だけ前記第２
のカバーの突出方向に離れた位置にあることを特徴とする。
【００１５】
この発明によれば、前記第１のカバーが閉位置にあり且つ前記第２のカバーが前記第１
のカバーを覆うように閉位置にあるとき、前記第２のカバーを膨出させることなく平坦に
固定させることができるので、他の部材との接触による破損を抑えることができ、また外
観上の見映えも良くすることができる。
【００１６】
請求項４の発明は、請求項１〜３の何れか１項の発明において、前記本体部の前記一端
面は開口していることを特徴とする。
【００１７】
この発明によれば、前記本体部の前記一端面は開口しているので、前記第１及び第２の
カバーを開位置に回動させれば、物品を前記一端面から前記本体部内へ挿入することがで
きる。
【００１８】
請求項５の発明は、請求項４の発明において、前記第２のカバーの前記先端部には、前
記第１のカバーが閉位置にあり且つ前記第２のカバーが前記第１のカバーを覆うように閉
位置にあるとき前記第１の辺縁部に貫設されるスリット部へ抜き差し自在に挿入され、前
記第１のカバーが開位置にあり且つ前記第２のカバーが閉位置にあるとき前記一端面の前
記開口へ挿入されるフラップ部が突設されていることを特徴とする。
【００１９】
この発明によれば、前記第１のカバーが閉位置にあり且つ前記第２のカバーが前記第１
のカバーを覆うように閉位置にあるとき、前記フラップ部を前記スリット部へ挿入してか
ら前記係止舌片を前記係止溝へ挿入することで、前記第１及び第２のカバーをより強固に
閉位置で固定することができる。また、前記第１のカバーが開位置にあり且つ前記第２の
カバーが閉位置にあるとき、前記フラップ部を前記一端面の前記開口へ挿入すれば前記フ
ラップ部が視野に入ることがないので、外観上の見映えを良くすることができる。
【００２０】
請求項６の発明は、請求項５の発明において、前記本体部の前記開口内には、前記係止
舌片が前記係止溝へ挿入されたり、前記フラップ部が前記スリット部又は前記一端面の前
記開口へ挿入されたりするとき、前記係止舌片及び前記フラップ部と接触しない程度に前
記本体部内に収納される物品の移動を規制する規制部材が配設されていることを特徴とす
る。
【００２１】
この発明によれば、前記係止舌片及び前記フラップ部と接触しない程度に前記本体部内
に収納される物品の移動を規制する規制部材が配設されているので、前記係止舌片及び前
記フラップ部が物品との接触によって破損したり、前記第１及び第２のカバーの固定の強
度が弱まったりするのを防ぐことができる。
【発明の効果】
【００２２】
本発明では、輸送時及び陳列時における破損を抑え、且つ陳列時の作業性を向上させて
、且つ陳列時の外観上の見映えを良くすることができるという効果がある。
【図面の簡単な説明】
【００２３】
【図１】本発明の実施形態の前方斜視図である。
【図２】同上における展開図である。
【図３】同上における輸送時の包装箱を示し、（ａ）は前方斜視図であり、（ｂ）は後方斜視図である。
【図４】同上における陳列時の包装箱を示し、（ａ）は前方斜視図であり、（ｂ）は後方斜視図である。
【図５】（ａ）は同上における第１及び第２のカバーが開位置にあるときの右側面図であり、（ｂ）は同上における第１のカバーが開位置にあり且つ第２のカバーが閉位置にあるときの右側面図である。
【図６】同上における本体部内に規制部材が配設されたときの前方斜視図である。
【図７】従来のテープ止めタイプの包装箱の一例を示し、（ａ）は輸送時の前方斜視図であり、（ｂ）は陳列時の前方斜視図である。
【図８】従来の本体部の一部を引き出すタイプの包装箱の一例を示し、（ａ）は輸送時の後方斜視図であり、（ｂ）は陳列時の後方斜視図である。
【図９】従来の糊付けタイプの包装箱の一例を示し、（ａ）は輸送時の前方斜視図であり、（ｂ）は陳列時の前方斜視図である。
【発明を実施するための形態】
【００２４】
以下、本発明の実施形態について、図１〜図６を参照して説明する。尚、以下の説明で
は図１において上下左右前後方向を規定している。本実施形態の包装箱１は、図２に示す
ように、一枚のダンボールや厚紙等を切り抜いてなる基材２から形成される。即ち、基材
２を折り線ａ〜ｐに沿って折り曲げたり接着剤等で接着することによって、図１に示すよ
うに、全体として角筒状に形成された包装箱１へと組立てられる。
【００２５】
基材２は、図２に示すように、略矩形板状に形成されており、折り線ａ，ｂ，ｃ，ｄを
介して左壁部３，前壁部４，右壁部５，後壁部６，貼着部７を備えている。左壁部３及び
右壁部５上端部には折り線ｅ，ｆを介して各々上フラップ８，８が突設され、また、左壁
部３及び右壁部５下端部には折り線ｇ，ｈを介して各々下フラップ９，９が突設されてい
る。
【００２６】
後壁部６上端部には、折り線ｉを介して第１のカバー１０が突設されており、後壁部６
下端部には折り線ｊを介して底板１１が突設されている。第１のカバー１０の上下方向中
央（折り線ｋ）の左右方向中心部から上方及び下方へ互いに等しい寸法だけ離れた位置に
は、貫通して形成される一対の孔１２，１２が設けられている。また、第１のカバー１０
の突出方向の先端部には、内側へ窪んでなる溝部１３が形成されている。折り線ｉの左右
方向中心部には、前記中心部を上下方向に跨ぐように略コ字型の切り込み線１４が貫設さ
れている。そして、切り込み線１４に沿ってコ字部分を引き出す（または押し出す）こと
で折り線ｌを軸心として回動自在な係止舌片１５が形成される。更に、折り線ｉよりやや
上方には、係止舌片１５を挟んで左右方向に延びる一対の細長矩形状の穴部１６，１６が
貫設されている。
【００２７】
前壁部４上端部には、第２のカバー１７が突設されている。尚、折り線ｎの上下方向の
位置は、第２のカバー１７が突出する上下方向の位置と等しくしておらず、第２のカバー
１７が突出する位置から、折り線ｋで略半分に折り畳んだときの第１のカバー１０の厚さ
幅と略等しい寸法分だけ上方に離れている。前壁部４下端部には折り線ｏを介して底板１
１が突設されている。第２のカバー１７の突出方向の先端部には、矩形状に突出するフラ
ップ部１８が突設されている。尚、折り線ｐの上下方向の位置は、フラップ部１８が突出
する上下方向の位置よりやや上方に離れている。そして、折り線ｐの左右方向中心部には
、略ホームベース型の五角形状に貫通する係止溝１９が設けられている。
【００２８】
上述の様な基材２は、以下の様にして包装箱１へと組立てられる。先ず、折り線ａ，ｂ
，ｃ，ｄに沿って左壁部３，前壁部４，右壁部５，後壁部６，貼着部７を折り曲げて、左
壁部３の内側に貼着部７を接着する。次に、下フラップ９，９を各々折り線ｇ，ｈで折り
曲げた後、下フラップ９，９を覆うように底板１１，１１を各々折り線ｊ，ｏで折り曲げ
て接着する。そして、第１のカバー１０を溝部１３が内側になるように折り線ｋで略半分
に折り畳み、係止舌片１５を折り線ｌで外側へ折り曲げて更に折り線ｍで内側へ折り曲げ
て、フラップ部１８を折り線ｐで折り曲げる。
【００２９】
この様にして組立てられる包装箱１は、図１に示すように、本体部２０と、先述の第１
及び第２のカバー１０，１７と、一対の上フラップ８，８とを備えている。本体部２０は
、上端面が開口し角筒状に形成されてなり、その内部には前記開口を通じて物品が収納さ
れる。第１及び第２のカバー１０，１７は、本体部２０の上端面周縁の互いに対向する第
１及び第２の辺縁部２０ａ，２０ｂから各々突出している。
【００３０】
第１のカバー１０は、折り線ｉを軸心として本体部２０の上端面を覆う閉位置と前記上
端面を開放する開位置との間で回動自在である。そして、第１のカバー１０は、吊り下げ
部２１と、挿通孔２２と、スリット部２３と、上述の溝部１３を備えている。吊り下げ部
２１は、第１のカバー１０の折り線ｋでの折り畳みによって孔１２，１２が互いの中心軸
を一致させて合わさることにより形成される。挿通孔２２は、係止舌片１５の折り線ｌで
の引き出しによって貫通して形成される。スリット部２３は、係止舌片１５の前記引き出
しによって穴部１６，１６が連通することで形成される。溝部１３は、第１のカバー１０
を折り線ｋで折り畳むことにより第１の辺縁部２０ａ近傍に配置される。
【００３１】
第２のカバー１７は、折り線ｎを軸心として本体部２０の上端面を覆う閉位置と前記上
端面を開放する開位置との間で回動自在である。そして、第２のカバー１７は、上述のフ
ラップ部１８と係止溝１９とを備えている。上フラップ８，８は、それぞれ折り線ｅ，ｆ
を軸心として本体部２０の上端面を覆う閉位置と前記上端面を開放する開位置との間で回
動自在である。
【００３２】
そして、本実施形態の包装箱１が例えば工場や卸売店から販売店へ輸送される際には、
次の様に第１及び第２のカバー１０，１７が固定される。先ず、第１及び第２のカバー１
０，１７、並びに一対の上フラップ８，８を開位置へ回動させて本体部２０の開口する上
端面から物品を内部へ挿入する。次に、上フラップ８，８を閉位置へ回動させて、第１の
カバー１０を閉位置へ回動させてから、第１のカバー１０を覆うように第２のカバー１７
を閉位置へ回動させつつフラップ部１８をスリット部２３へ挿入させる。このとき係止溝
１９は第１の辺縁部２０ａ近傍で係止舌片１５と対向して配置される。そして、係止舌片
１５を係止溝１９へ挿入させることで、図３（ａ）及び（ｂ）に示すように、第１及び第
２のカバー１０，１７を閉位置で固定することができる。従って、輸送時には全体が直方
体となる包装箱１は、従来例の上端面７２略中央部にカバー７４が糊付けされている包装
箱７０と比べて、他の部材と接触するような突出箇所が少なく、輸送時における破損を抑
えることができる。また、第２のカバー１７の回動する軸心の位置は、第２の辺縁部２０
ｂから第１のカバー１０の折り畳み後の厚さ幅分だけ上方へ離れているので（図５（ａ）
の実線矢印参照）、第２のカバー１７を膨出させることなく平坦に固定させることができ
る。因って、外観上の見映えを良くすることができ、且つ第２のカバー１７の他の部材と
の接触による破損をより抑えることができる。
【００３３】
また、本実施形態の包装箱１を例えば販売店の陳列台（図示せず）に陳列させる際には
、次の様に第２のカバー１７が固定される。先ず、上述の輸送時の状態から係止舌片１５
を係止溝１９から抜き外し、フラップ部１８をスリット部２３から抜き外してから、上フ
ラップ８，８を閉位置に残したまま第１及び第２のカバー１０，１７を開位置へ回動させ
る。次に、図４（ａ）及び（ｂ）に示すように、第１のカバー１０を開位置に残したまま
第２のカバー１７のみを閉位置へ回動させてフラップ部１８を本体部２０上端面の開口へ
挿入する。このときフラップ部１８の突出位置から折り線ｐまでの間の基部１８ａを溝部
１３に嵌合させることで、第２のカバー１７を閉位置で保持させておくことができ作業性
に優れている。また、図５（ｂ）に示すように、第２のカバー１７が閉位置にあるときの
前後方向の寸法（図中の実線矢印）を本体部２０の前後方向の寸法（図中の破線矢印）よ
りも第１のカバー１０の厚さ幅の寸法分だけ短くしているので、外観上の見映えを良くす
ることができる。
【００３４】
そして、係止溝１９は第１の辺縁部２０ａ近傍で挿通孔２２と対向して配置され、挿通
孔２２を通じて係止舌片１５を係止溝１９へ挿入させることで、第２のカバーのみを閉位
置で固定することができる。この状態で前記陳列台に突設されている略棒状の吊り下げ金
具（図示せず）に吊り下げ部２１を挿通させることで、包装箱１を前記陳列台に吊り下げ
ることができる。このとき包装箱１は、自重が従来例の包装箱６０の様に上壁部６１ｂを
介して鉛直下方向に掛かるのではなく、第１のカバー１０からそのまま後壁部６を介して
鉛直下方向に掛かるので、陳列時における破損を抑えることができる。また、包装箱１は
、陳列時に従来例の包装箱５０，６０の様にテープを切り裂いたり本体部の一部を切除し
たりするカッター等の工具を必要とせず、係止舌片１５の係止溝１９への抜き差しやフラ
ップ部１８のスリット部２３への抜き差しを手で行うことで、第１及び第２のカバー１０
，１７の固定や固定解除を行うことができるためより作業性に優れている。更に、包装箱
１は、従来例の包装箱５０，７０の様にテープや糊跡が残ることがないので陳列時の外観
上の見映えを良くしている。
【００３５】
ところで、係止舌片１５が係止溝１９へ挿入されたり、フラップ部１８がスリット部２
３又は本体部２０の前記開口へ挿入されたりするとき、本体部２０内部に収納されている
物品が係止舌片１５及びフラップ部１８と接触してしまう恐れがある。これに対して例え
ば図６に示すように、本体部２０内に開口する上端面より物品２５を挿入してから、矩形
板を略コ字型に曲折させてなる規制部材２４を挿入して配設すればよい。即ち、規制部材
２４によって物品２５の上下方向に対する移動が規制され、且つ係止舌片１５及びフラッ
プ部１８が物品２５及び規制部材２４と接触しない程度の空間が本体部２０内の上端付近
に形成される。因って、係止舌片１５及びフラップ部１８が、物品２５と接触して破損し
たり、第１のカバー１０及び第２のカバー１７の固定の強度が弱まるのを防ぐことができ
る。尚、規制部材２４は、発泡スチロールなどの緩衝材より形成されれば、物品２５の破
損を防ぐ効果も得ることができる。
【符号の説明】
【００３６】
１  包装箱
１０  第１のカバー
１５  係止舌片
１７  第２のカバー
１９  係止溝
２０  本体部
２０ａ  第１の辺縁部
２１  吊り下げ部
２２  挿通孔
【図１】
2010159082.tif 000003
【図２】
2010159082.tif 000004
【図３】
2010159082.tif 000005
【図４】
2010159082.tif 000006
【図５】
2010159082.tif 000007
【図６】
2010159082.tif 000008
【図７】
2010159082.tif 000009
【図８】
2010159082.tif 000010
【図９】
2010159082.tif 000011